(57)【特許請求の範囲】
【請求項１】
一つの集中タンクに圧縮空気を送気可能にして接続された複数のコンプレッサそれぞれに、前記集中タンクから送気された圧縮空気の使用部側からの使用状態の信号が入力されて、
前記使用状態の前記入力信号に基づく前記コンプレッサそれぞれの作動情報と異常情報とを、前記複数のコンプレッサに接続された第一のパーソナルコンピュータに前記複数のコンプレッサから出力し、
前記第一のパーソナルコンピュータに通信回線を介して連結されて、第一のパーソナルコンピュータからの前記コンプレッサそれぞれの作動情報と異常情報とを受ける第二のパーソナルコンピュータにより、該第二のパーソナルコンピュータの設置位置にて、前記複数のコンプレッサの作動情報と異常情報とが一覧表示可能に設けられていることを特徴とするコンプレッサの遠隔管理方法。
【発明の詳細な説明】
【０００１】
【発明の属する技術分野】
本発明は、型式の相異する多数台のコンプレッサを遠隔地にあるコンピュータによりその作動状態や異常状態を予め決められた管理表示方法により確認して各コンプレッサを常時に正常状態に保持すべく一括集中管理するコンプレッサの遠隔管理方法に関する。
【０００２】
【従来の技術】
コンプレッサは多くの構成要素から形成され、これ等の構成要素が正しく、かつ安定して作動することにより、使用側にその使用条件に見合った空気を送ることができると共に、各コンプレッサの効率化や寿命の向上等を図ることができる。このため従来技術においてもコンプレッサにその各構成要素の作動状態や異常状態を検出するための手段が付設されていた。
【０００３】
【発明が解決しようとする課題】
前記の検出手段は、前記のように各コンプレッサに付設されるものであり、その作動状態等を確認するにはコンプレッサの設置されている場所に行く必要があり、かつ人手による目視管理が普通であった。また、これ等の管理手段より更に進んだ方法として多数台のコンプレッサの作動状態や異常状態を集中管理する集中管理手段をコンプレッサ管理室等に設けて集中管理するものもあったが、これもコンプレッサ室の近傍に配置されるものであり、遠隔地により集中管理であるものではなかった。また、従来の方法では、各所に設置されている多くのコンプレッサを同時に一箇所で一括集中管理することはできなかった。また、管理表示方法についても画一的のものでなく、夫々において相異する場合が多く、管理品質やその信頼性を向上することができなかった。
【０００４】
本発明は、以上の事情に鑑みて発明されたものであり、多数台のコンプレッサを画一的な管理表示手段により一括集中管理でき、かつ遠隔地において同時管理ができ、使用側への空気の安全供給とコンプレッサの効率的運転及び寿命の向上が可能になるコンプレッサの遠隔管理方法を提供することを目的とする。
【０００５】
【課題を解決するための手段】
本発明は、以上の目的を達成するために、一つの集中タンクに圧縮空気を送気可能にして接続された複数のコンプレッサそれぞれに、前記集中タンクから送気された圧縮空気の使用部側からの使用状態の信号が入力されて、
前記使用状態の前記入力信号に基づく前記コンプレッサそれぞれの作動情報と異常情報とを、前記複数のコンプレッサに接続された第一のパーソナルコンピュータに前記複数のコンプレッサから出力し、
前記第一のパーソナルコンピュータに通信回線を介して連結されて、第一のパーソナルコンピュータからの前記コンプレッサそれぞれの作動情報と異常情報とを受ける第二のパーソナルコンピュータにより、該第二のパーソナルコンピュータの設置位置にて、前記複数のコンプレッサの作動情報と異常情報とが一覧表示可能に設けられていることを特徴とするものである。
【００１１】
本発明によれば、各コンプレッサからは作動情報や異常情報がパーソナルコンピュータ側に送られる。この情報は前記パーソナルコンピュータによりに表示される。この表示内容を遠隔地で確認することにより任意の位置に設置されているコンプレッサを同時に一括集中管理でき、コンプレッサを正常状態で運転させることができる。
【００１２】
【発明の実施の形態】
以下、本発明のコンプレッサの遠隔管理方法の実施の形態を図面を参照して詳述する。まず、図１により一般に使用されているコンプレッサの構成を説明する。図示のように、コンプレッサ１は数多くの構成要素から構成される。コンプレッサ本体２はインバータ３により電力コントロールされるメーンモータ４により作動され、エアクリーナ５からの空気はコンプレッサ本体２により圧縮され圧縮空気が吐出される。圧縮空気内には油が含有されるが、この圧縮空気はタンク６に一時蓄溜され、油気分離される。分離された空気はタンク６の下流側に設置されているオイルセパレータ７により更に油分を分離した後、ファンモータ８により駆動されているアフタクーラ９により適温に冷却され、ドライヤ１０により脱水，乾燥された後、使用側１７に送気される。なお、圧力センサ１１により吐出空気の圧力が常時検出される。分離されてタンク６内に溜っている油はオイルクーラ１２やオイルフィルタ１３を介してコンプレッサ本体２に戻油され、再使用される。
【００１３】
以上の各種のコンプレッサの構成要素にはその作動状態や異常状態を検出するための各種の検出手段が付設されている。この検出手段は公知のものであり、図１には示されていない。なお、前記検出手段からは、所定の情報が電気的出力されるように構成されている。
【００１４】
図２は本発明のコンプレッサの管理システムを示すシステム表示図である。本実施の形態では４種のコンプレッサ１ａ，１ｂ，１ｃ，１ｄが表示されているが勿論、これに限定するものではない。コンプレッサ１ａは最も新しい型式のコンプレッサであり、アナログ入力，ＲＳ４８５通信可能なＴＣ３−２０基板を設けるものからなる。また、コンプレッサ１ｂも新しい型式のものでアナログ入力，ＲＳ９８５通信可能なＴＣ３−１９基板を付設する。コンプレッサ１ｃ，１ｄは旧型式のもので、このものを前記のコンプレッサ１ａ，１ｂと同一のタイプにするために追加パネルユニット１５が夫々付設される。これ等の各コンプレッサ１ａ，１ｂ，１ｃ，１ｄは共通のライン１６により集中タンク６ａに連結され集中タンク６ａは使用側１７と連結される。この使用側１７からは使用状態を示す信号がコンプレッサ１ａに入力される。この入力信号は夫々コンプレッサ１ａ，１ｂ，１ｃ，１ｄを連結するライン１８，１９，２０，２１を介して入力される。この入力信号を基として各コンプレッサ１ａ，１ｂ，１ｃ，１ｄからは後に説明するコンプレッサの作動情報や異常情報が出力されるが、この情報をアナログ信号として出力するためコンプレッサ１ｂ，１ｃ，１ｄにはＩ／Ｏユニット２２が夫々連結される。
【００１５】
各コンプレッサ１ａ，１ｂ，１ｃ，１ｄからの作動情報や異常情報はコンプレッサ１ａ等の比較的近傍に配置されている第１のパソコン２３に集中的に入力される。この第１のパソコン２３には遠隔地にある第２のパソコン２４と通信回線（無線にて可）により連結される。第２のパソコン２４は前記の各情報を基にして予め決められている管理表示方法により、各コンプレッサ１ａ，１ｂ，１ｃ，１ｄの状態を表示する。これにより、第２のパソコン２４の設置位置ですべてのコンプレッサ１ａ等の状態を確認することができ、一括管理することができる。次に、本発明のコンプレッサの遠隔管理方法の具体的な管理表示方法について説明する。
【００１６】
図３は各コンプレッサの作動状態を示す作動情報の内容を示す。図示のように作動情報は、運転時間（ｈ），吐出温度（℃），吐出圧力（ＭＰａ），吐出空気量（ｌ），出力電力（ｋｗ），出力電流（Ａ），出力電圧（Ｖ），目標圧力（ＭＰａ），自動発停復帰圧力（ＭＰａ），水交換設定時間（ｈ），水交換残り時間（ｈ），フィルタ交換時期（ｈ），オイル温度（℃），セパレータ交換時期（ｈ）、回転数（ｍｉｎ−１），インバータエラコード等からなる。
【００１７】
図４は各コンプレッサの異常状態を示す異常情報の内容を示す。図示のように異常情報は、吐出温度異常，吐出圧力異常，モータ異常，冷却水断水，フィルタ異常，セパレータ異常，回転数異常，吐出量異常等からなる。
【００１８】
次に、本発明における管理表示方法について説明する。まず、図５に示すように、管理システム（図２）において管理対象となるすべてのコンプレッサの機種名が登録され図示のように一覧表としてパソコンに表示される。この一覧表におけるコンプレッサはこの覧における任意コンプレッサをクリックすることによりそのコンプレッサの状態表示が行われる。また、全部のコンプレッサを一度に表示することができる。
【００１９】
図６は図５において登録されているすべてのコンプレッサの運転時間と運転状態，異常情報を一括表示するものである。この表により、コンプレッサ毎の運転時間が一目でわかり、運転時間管理を行うことができる。
【００２０】
図７は各コンプレッサ毎の作動状態を表示する画面である。この画面は図示のようにコンプレッサの構成要素のすべてが表示されると共に、その表示時における作動状態が作動情報の形で明示される。即ち、図示のようにこのコンプレッサの運転時間を始め作動情報である吐出温度，吐出圧力等のすべての項目の現在値が明示される。これにより、このコンプレッサの作動状態を一目で確実に把握することができる。
【００２１】
図８は各コンプレッサ毎の異常状態を表示する画面である。図示のように、コンプレッサの全構成要素が表示されると共に作動情報及び異常情報が表示される。また、異常情報については、例えば、図示の「吐出温度異常」のように異常が生じている構成要素の近傍に異常表示が行われる。また、異常構成要素が、例えば、赤色に変色し、異常が生じていることが一目でわかるようにしている。
【００２２】
図９は各コンプレッサ毎の作動情報や異常情報が表示されると共に、これ等の情報の表示されている以外のコンプレッサの運転時間表示を同時に表示する画面である。この画面表示により、あるコンプレッサの詳細状態を目視しながら他のコンプレッサの作動状態の一部を同時に確認でき管理範囲の拡大を図ることができる。
【００２３】
以上のように、本発明は前記の各管理表示方法による画面表示を遠隔地のパソコン上に表示することができ、多数台のコンプレッサの作動状態，異常状態をリアルタイムで正確に把握しコンプレッサの正常化保持のための管理を行うことができる。これにより、コンプレッサを使用状態に合わせて合理的に、かつ効率的に使用できると共にコンプレッサの異常発見が早く行われ、対応の迅速化が図れる。
【００２４】
本発明による管理システムは多数台のコンプレッサについて行われるが、例えば、一つの実施例としては最大３１台のものを一括管理できるが、これに限定するものではない。また、通信速度は２５０ＫｂＰＳ、通信サービス間隔は０．５ｓｅｃ、各コンプレッサと第１のパソコン２３とはＲＳ４８５の通信方式で有線通信が可能であり、第１のパソコン２３と第２のパソコン２４とは無線通信が可能である。なお、本発明は以上の条件に限定されるものではない。
【００２５】
【発明の効果】
本発明によれば、多数台のコンプレッサの作動状態，異常状態をリアルタイムで遠隔地で管理表示でき、コンプレッサの作動効率、寿命の向上が図れると共に異常に対する迅速の対応を図ることができる。
【図面の簡単な説明】
【図１】一般のコンプレッサの全構成を示す構成図。
【図２】本発明のコンプレッサの遠隔管理方法の管理システム図。
【図３】本発明のコンプレッサの遠隔管理方法における作動情報の内容を示す表示図。
【図４】本発明のコンプレッサの遠隔管理方法における異常情報の内容を示す表示図。
【図５】本発明の管理表示方法の１つである登録されているコンプレッサの機種名を表示するための画像図。
【図６】本発明の管理表示方法の１つである登録されている全コンプレッサの運転時間を一括表示するための画像図。
【図７】本発明の管理表示方法の１つである個々のコンプレッサ毎の構成要素とその作動情報を示す画像図。
【図８】本発明の管理表示方法の１つである個々のコンプレッサ毎の各構成要素とその作動情報，異常情報を示す画像図。
【図９】本発明の管理表示方法の１つである個々のコンプレッサ毎の作動情報及び異常情報の表示とそれ以外のコンプレッサの運転時間を同時表示する画像図。
【符号の説明】
１    コンプレッサ
１ａ  コンプレッサ
１ｂ  コンプレッサ
１ｃ  コンプレッサ
１ｄ  コンプレッサ
２    コンプレッサ本体
３    インバータ
４    メーンモータ
５    エアクリーナ
６    タンク
６ａ  集中タンク
７    オイルセパレータ
８    ファンモータ
９    アフタクーラ
１０  ドライヤ
１１  圧力センサ
１２  オイルクーラ
１３  オイルフィルタ
１４  レベルスイッチ
１５  追加パネルユニット
１６  共通ライン
１７  使用側
１８  ライン
１９  ライン
２０  ライン
２１  ライン
２２  Ｉ／Ｏユニット
２３  第１のパソコン
２４  第２のパソコン
【図１】
0004687841.tif 000002
【図２】
0004687841.tif 000003
【図３】
0004687841.tif 000004
【図４】
0004687841.tif 000005
【図５】
0004687841.tif 000006
【図６】
0004687841.tif 000007
【図７】
0004687841.tif 000008
【図８】
0004687841.tif 000009
【図９】
0004687841.tif 000010